(57)【要約】【課題】  前扉と筐体とを連結するヒンジ機構の構造をワンタッチ式に改良した遊技機を提供する。【解決手段】  遊技機（パチンコ機）１は、開口部を有する枠体状の筐体２と、ヒンジ機構を介して筐体２に対し開閉自在に支持された前扉３とを備えている。当該パチンコ機１では、ヒンジ機構が、筐体２前面における左右一側に固定された軸部材１９と、前扉２における軸部材１９と対向する位置に固定され、かつ所定の係合状態にて軸部材１９を中心に回動し得る回動部材２０Ａ，２０Ｂとを備えており、軸部材１９が磁石によって構成され、かつ回動部材２０Ａ，２０Ｂが、磁石からなる軸部材１９に密着して所定の係合状態を保持し得る磁性体によって構成されている。これにより、重量の嵩む前扉３を抱えながらの作業にも拘わらず、前扉３の筐体２に対する取り付け作業を簡便にして所要時間を短縮させ、作業効率を大幅に向上させることができる。【選択図】      図２
2005224499.tif 000002
【特許請求の範囲】
【請求項１】
開口部を有する枠体状の筐体と、ヒンジ機構を介して前記筐体に対し開閉自在に支持された前扉とを備えてなる遊技機において、
前記ヒンジ機構が、前記筐体前面における左右一側に固定された軸部材と、前記前扉における前記軸部材と対向する位置に固定され、かつ所定の係合状態にて前記軸部材を中心に回動し得る回動部材とを備え、
前記軸部材及び前記回動部材のうち少なくとも一方が磁石によって構成され、かつ他方が、磁石からなる前記一方の部材に密着して前記所定の係合状態を保持し得る部材によって構成される、
ことを特徴とする遊技機。
【請求項２】
前記他方の部材は、磁石からなる前記一方の部材に吸着される磁性体によって構成される、
ことを特徴とする請求項１に記載の遊技機。
【請求項３】
前記他方の部材は、磁石からなる前記一方の部材と磁極の関係を逆にされた磁石によって構成される、
ことを特徴とする請求項１に記載の遊技機。
【請求項４】
前記軸部材は、前記筐体前面の左右一側における上下方向に沿って延在してなり、
前記回動部材は、前記軸部材の外周面に吸着されつつ摺接し得る湾曲部を備えてなる、
ことを特徴とする請求項１ないし３の内のいずれか１項に記載の遊技機。
【請求項５】
前記所定の係合状態を保持して前記軸部材を中心に回動する前記回動部材は、前記前扉が前記筐体に対して所定角度を超えて回動したとき前記軸部材から離脱し得るように構成される、
ことを特徴とする請求項１ないし４の内のいずれか１項に記載の遊技機。
【発明の詳細な説明】
【技術分野】
【０００１】
本発明は、パチンコ機、スロットマシン、或いは雀球遊技機等の遊技機に関し、詳しくは遊技機本体を構成する筐体と前扉との回動支持構造を改善した遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、またスタートチャッカーに入球した際にはこれに基づいて大当たり抽選が行われると共に所定数の遊技球が払い出され、当該抽選の結果に応じて、遊技盤の中央部分に設けられた液晶等からなる特別図柄表示画面上で所定の演出表示が行われる。大当たりの発生時には、アタッカーと呼ばれる大入賞口が開放し、入球に対応して多量の遊技球が払い出される状態となる。
【０００４】
一般に、上述のようなパチンコ機は、遊技場におけるパチンコ機が横１列に並んだエリア（以下、「島」と言う）に所定の状態で固定される木枠（筐体）と、この筐体に対し回動自在となるように装着される前扉とを備えて構成されている（例えば、特許文献２参照）。
【０００５】
【特許文献１】特開２００３−２３６２１０号公報（図２参照）
【特許文献２】特開平０６−１３４１００号公報（図１３及び図１４参照）
【発明の開示】
【発明が解決しようとする課題】
【０００６】
ところで、上述したようなパチンコ機を遊技場の島に設置する際、或いは予め設定されたパチンコ機を分解してメンテナンスする際等に、島側に固定された筐体に前扉を装着する場合、前扉の重量や、前扉と筐体とを連結するヒンジ機構の構造に起因して、前扉の筐体への取り付け時の作業性が悪くなったり、前扉を落下させて当該前扉に装備されている付属品等を破損させるような問題を招く虞があった。つまり、従来のヒンジ機構では、作業員が、重量の嵩む前扉を抱えながら、筐体側に対して前扉背面側の回動部材を嵌合させる作業を行わなければならず、この際、ボス部と回動部材の合わせ位置が見づらく、取り付け作業に必要以上の時間を要するなど、作業効率が悪かった。
【０００７】
そこで本発明は、前扉と筐体とを連結するヒンジ機構の構造をワンタッチ式に改良することにより、重量の嵩む前扉を抱えながらの作業にも拘わらず、取り付け作業を簡便にして所要時間を短縮させることにより作業効率を大幅に向上させ得るように構成し、もって上述した課題を解決した遊技機を提供することを目的とするものである。
【課題を解決するための手段】
【０００８】
請求項１に係る本発明は（例えば図１ないし図９参照）、開口部を有する枠体状の筐体（２）と、ヒンジ機構を介して前記筐体（２）に対し開閉自在に支持された前扉（３）とを備えてなる遊技機（１）において、
前記ヒンジ機構が、前記筐体（２）前面における左右一側に固定された軸部材（１９）と、前記前扉（２）における前記軸部材（１９）と対向する位置に固定され、かつ所定の係合状態にて前記軸部材（１９）を中心に回動し得る回動部材（２０Ａ，２０Ｂ）とを備え、
前記軸部材及び前記回動部材のうち少なくとも一方（１９）が磁石によって構成され、かつ他方が、磁石からなる前記一方の部材（１９）に密着して前記所定の係合状態を保持し得る部材（２０Ａ，２０Ｂ）によって構成される、
ことを特徴とする遊技機（１）にある。
【０００９】
請求項２に係る本発明（例えば図２及び図４参照）は、前記他方の部材（２０Ａ，２０Ｂ）が、磁石からなる前記一方の部材（１９）に吸着される磁性体によって構成される、
ことを特徴とする請求項１に記載の遊技機（１）にある。
【００１０】
請求項３に係る本発明（例えば図２及び図４参照）は、前記他方の部材（２０Ａ，２０Ｂ）が、磁石からなる前記一方の部材（１９）と磁極の関係を逆にされた磁石によって構成される、
ことを特徴とする請求項１に記載の遊技機（１）にある。
【００１１】
請求項４に係る本発明（例えば図２ないし図４参照）は、前記軸部材（１９）が、前記筐体（２）前面の左右一側における上下方向に沿って延在してなり、
前記回動部材（２０Ａ，２０Ｂ）は、前記軸部材（１９）の外周面に吸着されつつ摺接し得る湾曲部（２１ｂ）を備えてなる、
ことを特徴とする請求項１ないし３の内のいずれか１項に記載の遊技機（１）にある。
【００１２】
請求項５に係る本発明（例えば図８及び図９参照）は、前記所定の係合状態を保持して前記軸部材（１９）を中心に回動する前記回動部材（２０Ａ，２０Ｂ）は、前記前扉（３）が前記筐体（２）に対して所定角度（例えば９０°）を超えて回動したとき前記軸部材（１９）から離脱し得るように構成される、
ことを特徴とする請求項１ないし４の内のいずれか１項に記載の遊技機（１）にある。
【００１３】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１４】
請求項１に係る本発明によると、ヒンジ機構が軸部材と回動部材とを備え、これら軸部材及び回動部材の少なくとも一方が磁石からなり、他方が、一方の部材に密着して所定の係合状態を保持し得る部材からなるので、種々の付属品等で重量の嵩む前扉を作業員が抱えながら筐体に装着する際、筐体側の軸部材に対して前扉側の回動部材を大凡の目測で接近させるだけで回動部材を軸部材に吸着させ、その状態のまま当該回動部材を軸部材に対して回動自在に支持することができる。このため、前扉の重量や、前扉を筐体に装着する際の視認性が良好でないにも拘わらず、前扉の筐体に対する装着作業が極めて容易になり、作業中に前扉を落下させて付属品等を破損したり作業員の怪我を招いたりするような虞を確実に無くして安全性を高めることができると共に、作業に要する時間を短縮させて作業効率を向上させることができる。
【００１５】
請求項２に係る本発明によると、他方の部材が、磁石からなる一方の部材に吸着される磁性体によって構成されるので、他方の部材を例えば、鉄材のように比較的廉価な材料で製作することができ、コストアップを抑えることができる。
【００１６】
請求項３に係る本発明によると、他方の部材が、磁石からなる一方の部材と磁極の関係を逆にされた磁石によって構成されるので、軸部材と回動部材の双方を磁石で構成して相互の吸着力を一層高めたヒンジ機構とすることができる。
【００１７】
請求項４に係る本発明によると、軸部材が筐体前面の左右一側における上下方向に沿って延在してなり、回動部材が軸部材の外周面に吸着されつつ摺接し得る湾曲部を備えるので、軸部材と回動部材の双方が吸着し合って所定の係合状態を維持した状態において、回動部材を軸部材に対して極めて円滑に回動させることができる。
【００１８】
請求項５に係る本発明によると、前扉が筐体に対して所定角度を超えて回動したとき軸部材から離脱し得るように構成されるので、前扉を所定角度を超えて回動させることにより筐体から簡単に取り外すことができ、従って、前扉の装着作業と共に取り外し作業についても作業効率を高めることができる。
【発明を実施するための最良の形態】
【００１９】
以下、本発明に係る遊技機の実施形態として、遊技場等に設置されるパチンコ機を図１ないし図９に沿って説明する。
【００２０】
なお、図１は本パチンコ機の外部構造を示す正面図、図２は本パチンコ機の前扉を開放した状態で示す斜視図、図３は本パチンコ機の筐体を示す斜視図、図４は本パチンコ機の前扉を示す斜視図、図５は前扉を筐体に装着直前の状態を示す平面図、図６は前扉を筐体に装着した状態を示す平面図、図７は前扉を筐体に装着して当該前扉を筐体側に閉止した状態を示す平面図、図８は装着状態の前扉を筐体に対して略９０°回動させた状態を示す平面図、図９は装着状態の前扉を筐体に対し９０°以上回動させて取り外した状態を示す平面図である。
【００２１】
本パチンコ機１は、後述の発射ハンドル９の操作による発射装置（図示せず）の作動で遊技球を遊技盤７上に打ち出しつつ遊技を行うもので、いわゆる確率変動等の大当たりが発生した状態で不図示のアタッカー（大入賞口）に入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２２】
図１に示すように、本パチンコ機１は、開口部を有する枠体状の筐体２と、筐体２に開閉可能に装着された前扉３とを有しており、前扉３の前面には、透明ガラス６を有するガラス枠５が開閉可能に取付けられており、透明ガラス６の奥側には遊技盤面部７が配置されている。ガラス枠５における遊技盤面部７の左右及び上部には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。
【００２３】
前扉３における下部中央には皿ユニット１３が設けられており、皿ユニット１３における右上部には、賞球及び貸球を含む遊技球が供給される球供給口１０が設けられ、皿ユニット１３における左上部壁面には、球貸ボタン１４ａ及びプリベートカード返却ボタン１４ｂが設けられている。皿ユニット１３の中央部には、該皿ユニット１３上の遊技球を球発射装置（図示せず）付近から皿ユニット下部の球排出口（図示せず）を通して下方に排出するための第１球抜きレバー２２ａと、皿ユニット１３上の遊技球を球供給口１０付近から上記球排出口を通して下方に排出するための第２球抜きレバー２２ｂとが配置されている。また、前扉３における皿ユニット１３の右側下方には、上記球発射装置を操作して遊技球を遊技盤面部７に向けて打ち出すための発射ハンドル９が設けられている。更に、皿ユニット１３の下部左方には、灰皿２４とチャンスボタン２５とが配置されている。
【００２４】
図２に示すように、前扉３は、ヒンジ機構を介して筐体２に対して開閉自在に支持されている。このヒンジ機構は、筐体２の前面における左側部に固定された軸部材１９と、前扉２の背面における軸部材１９と対向する位置に固定され、かつ所定の係合状態にて軸部材１９を中心に回動し得る回動部材２０Ａ，２０Ｂとを備えて構成されている。
【００２５】
筐体２における左上部及び左下部には夫々、外ヒンジ部材１７Ａ，１７Ｂがネジ２７によって固定されており、前扉３における左上部及び左下部には夫々、内ヒンジ部材である回動部材２０Ａ，２０Ｂがネジ２８によって固定されている。外ヒンジ部材１７Ａは、筐体２の左上部にその外側から固定されており、外ヒンジ部材１７Ｂは、筐体２の左下部にその内側から固定されている。なお、図２における符号１２はロックアームを、１１はロックアーム１２を係止するロック爪を、１５は球供給皿を、１６は各種基板ユニットを、２６はこれら基板ユニット１６や上記遊技盤面部７を支持する遊技盤枠を夫々示している。
【００２６】
外ヒンジ部材１７Ａ，１７Ｂは夫々、図３に示すように、筐体２に固定される主板部１８ａと、該主板部１８ａと平行なアーム部１８ｃと、主板部１８ａ及びアーム部１８ｃの双方を連結した状態で筐体２に固定される連結板部１８ｂと、これら主板部１８ａ及びアーム部１８ｃ双方の間にて上下方向に沿って延在するように支持される上記軸部材１９とから構成されている。この軸部材１９は、強力な磁石によって形成されている。
【００２７】
一方、回動部材２０Ａ，２０Ｂは夫々、上記軸部材１９に磁力で強く吸着され得るような鉄等の磁性体から構成されており、図４に示すように、前扉３の背面左側部に固定される主板部２１ａと、前扉３の背面から前面側に折曲されたアーム部２１ｃと、主板部２１ａの外端部から上記軸部材１９に対して係合し得るように湾曲して延びる湾曲部２１ｂとから構成されている。この湾曲部２１ｂは、軸部材１９の外周面と略同等の曲率を有する内面を備え、軸部材１９外周面に磁力で吸着されつつ円滑に摺接し得るように構成されている。
【００２８】
また、回動部材２０Ａ，２０Ｂは、そのアーム部２１ｃが前扉３の前面側に所定量突出する形状を備えることにより、図８に示すように、前扉３が、回動部材２０Ａ（２０Ｂ）の湾曲部２１ｂと外ヒンジ部材１７Ａの軸部材１９との間の所定係合関係を保持した状態から同図時計回り方向に回動した場合、図９に示すように、アーム部２１ｃが外ヒンジ部材１７Ａの前端部に対しテコの原理で作用して、筐体２に対し所定角度（本実施形態では９０°）を超えて回動する際の湾曲部２１ｂを軸部材１９から離脱させるように機能する。
【００２９】
なお、本実施形態では、外ヒンジ部材１７Ａ，１７Ｂ側の少なくとも軸部材１９が磁石からなり、かつ回動部材２０Ａ，２０Ｂ側の少なくとも湾曲部２１ｂが磁性体からなる例を挙げて説明するが、本発明はこれに限らず、回動部材２０Ａ，２０Ｂ側の少なくとも湾曲部２１ｂが磁石からなり、かつ外ヒンジ部材１７Ａ，１７Ｂ側の少なくとも軸部材１９が磁性体からなる構成にも、また、軸部材１９及び湾曲部２１ｂの双方が互いの磁極（Ｓ極，Ｎ極）の関係を逆にされた磁石からなる構成にも適用できることは勿論である。
【００３０】
したがって、以上の本実施形態におけるパチンコ機１によると、ヒンジ機構が軸部材１９と回動部材２０Ａ，２０Ｂとを備え、軸部材１９が磁石からなり、回動部材２０Ａ，２０Ｂが、軸部材１９に密着して所定の係合状態を保持し得る磁性体からなるので、種々の付属品等で重量の嵩む前扉３を作業員が抱えながら筐体２に装着する際、筐体２側の軸部材１９に対して前扉３側の回動部材２０Ａ，２０Ｂを大凡の目測で接近させる（図５参照）だけで回動部材２０Ａ，２０Ｂを軸部材１９に吸着させ（図６参照）、その状態のまま当該回動部材２０Ａ，２０Ｂを軸部材１９に対して回動自在に支持することができる（図７参照）。
【００３１】
このため、前扉３の重量や、前扉３を筐体２に装着する際の視認性が良好でないにも拘わらず、前扉３の筐体２に対する装着作業が極めて容易になり、作業中に前扉３を落下させて付属品等を破損したり作業員の怪我を招いたりするような虞を確実に無くして安全性を高めることができると共に、作業に要する時間を短縮させて作業効率を向上させることができる。
【００３２】
また、軸部材１９に対する回動部材２０Ａ，２０Ｂが磁性体によって構成されるので、当該回動部材２０Ａ，２０Ｂを、鉄材のように比較的廉価な材料で製作することができ、コストアップを抑えることができる。
【００３３】
また、回動部材２０Ａ，２０Ｂを、磁石からなる軸部材１９と磁極の関係を逆にした磁石によって構成すれば、軸部材１９と回動部材２０Ａ，２０Ｂの双方を磁石で構成して相互の吸着力を一層高めたヒンジ機構とすることができる。
【００３４】
更に、軸部材１９が筐体２前面の左右一側における上下方向に沿って延在してなり、回動部材２０Ａ，２０Ｂが軸部材１９の外周面に吸着されつつ摺接し得る湾曲部２１ｂを備えるので、軸部材１９と回動部材２０Ａ，２０Ｂの双方が吸着し合って所定の係合状態を維持した状態において、回動部材２０Ａ，２０Ｂを軸部材１９に対して極めて円滑に回動させることができる。
【００３５】
そして、前扉３（図８参照）が筐体２に対して所定角度（９０°）を超えて回動（図９参照）したとき軸部材１９から離脱し得るように構成されるので、前扉３を所定角度を超えて回動させることにより筐体２から簡単に取り外すことができ、従って、前扉３の装着作業と共に取り外し作業についても作業効率を高めることができる。
【００３６】
なお、本実施の形態では、遊技機としてパチンコ機１を例に挙げて説明したが、本発明はこれに限らず、スロットマシンや雀球遊技機等の遊技機にも適用可能であることは勿論である。また本実施の形態においては、軸部材１９及び回動部材２０Ａ，２０Ｂの双方を磁力で密着係合させる形式のヒンジ機構を筐体２及び前扉３の相互間に適用したが、このような形式のヒンジ機構を、例えば前扉３及びガラス枠５の相互間に適用することも可能である。
【００３７】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００３８】
【図１】本発明の実施形態におけるパチンコ機の外部構造を示す正面図である。
【図２】本パチンコ機の前扉を開放した状態で示す斜視図である。
【図３】本パチンコ機の筐体を示す斜視図である。
【図４】本パチンコ機の前扉を示す斜視図である。
【図５】前扉を筐体に装着直前の状態を示す平面図である。
【図６】前扉を筐体に装着した状態を示す平面図である。
【図７】前扉を筐体に装着して筐体側に閉止した状態を示す平面図である。
【図８】装着状態の前扉を筐体に対して略９０°回動させた状態を示す平面図である。
【図９】装着状態の前扉を筐体に対し９０°以上回動させて取り外した状態を示す平面図である。
【符号の説明】
【００３９】
１…パチンコ機（遊技機）
２…筐体
３…前扉
１７Ａ，１７Ｂ…外ヒンジ部材
１８ａ…主板部
１８ｂ…連結板部
１８ｃ…アーム部
１９…軸部材
２０Ａ，２０Ｂ…回動部材
２１ａ…主板部
２１ｂ…湾曲部
２１ｃ…アーム部
【図１】
2005224499.tif 000003
【図２】
2005224499.tif 000004
【図３】
2005224499.tif 000005
【図４】
2005224499.tif 000006
【図５】
2005224499.tif 000007
【図６】
2005224499.tif 000008
【図７】
2005224499.tif 000009
【図８】
2005224499.tif 000010
【図９】
2005224499.tif 000011